(57)【要約】【課題】比較的多くの錠剤等を同時計量して取出し出来る計量容器を提案する。【解決手段】横長筒の側壁下部を、半円筒状に下方へ張出す胴部２の前端面を、円筒状口頸部５付きの前壁６で、上記半円筒状張出し壁部４の下外面と、口頸部５の下半外面とを面一に連続させて閉塞する、後端面閉塞の容器体１と、上記口頸部外面へ嵌合させた口蓋周壁１２の前面を閉塞する口蓋前板１３から軸１４を口頸部５内へ突出し、かつ軸後端面の下半から外縁から上面開口の樋状で後端面閉塞の受皿部１５を容器体胴部内へ突出する取出し部材１１とからなり、容器体１は上記軸１４を中心として回動可能で、取出し部材１１は容器体に対して摺動自在とした。【選択図】図１
2004059115.tif 000002
【特許請求の範囲】
【請求項１】
横長筒の側壁下部を、半円筒状に下方へ張出す胴部２の前端面を、円筒状口頸部５付きの前壁６で、上記半円筒状張出し壁部４の下内面と口頸部５の下半内面とを面一に連続させて閉塞する、後端面閉塞の容器体１と、
上記口頸部外面へ嵌合させた口蓋周壁１２の前面を閉塞する口蓋前板１３から軸１４を口頸部５内へ突出し、かつ軸後端面の下半外縁から、上面開口の樋状で後端面閉塞の受皿部１５を後方突出する取出し部材１１とからなり、
該取出し部材に対して、軸１４を中心として容器体１が回動可能であると共に、該取出し部材は容器体１に対して摺動自在に嵌合させた
ことを特徴とする計量容器。
【請求項２】
上記取出し部材の口蓋前板１３を、上方へ延長して把手板１７となし、該把手板を上記胴部２前方に位置させた
ことを特徴とする請求項１記載の計量容器。
【請求項３】
上記受皿部１５の底部を後方へ延長して、該延長底板２１の後部下面へ、口頸部５後端面へ係合できる突部２２を付設し、取出し部材は容器体１に対して取外し不能に形成した
ことを特徴とする、請求項１又は２記載の計量容器。
【請求項４】
上記延長底板２１の後端部から、口頸部５内径とほぼ同外径の後端板２３を起立させた
ことを特徴とする、請求項３記載の計量容器。
【発明の詳細な説明】
【０００１】
【発明の属する技術分野】
本発明は、例えば錠剤等の計量容器に関する。
【０００２】
【従来の技術】
例えば特開２００２−１６６９５９　号が示すように容器体口頸部に嵌合させたキャップの上部内に計量室を設けると共に、該キャップにスライド部材を装着させて、該スライド部材をキャップに対して摺動させると計量室上面に穿設した振出し孔が開いて計量室内の錠剤等を振出しできるよう設けた計量容器が知られている。
【０００３】
【発明が解決しようとする課題】
上記キャップは容器体に対して小形であり、よって計量室を大きくして比較的多くの錠剤等を取り出すには不便があった。
【０００４】
本発明は容器体胴部の側面を利用して計量室を大きく形成し、又計量された錠剤等を安全に取出しできるよう設けたものである。
【０００５】
【課題を解決するための手段】
第１の手段として、横長筒の側壁下部を、半円筒状に下方へ張出す胴部２の前端面を、円筒状口頸部５付きの前壁６で、上記半円筒状張出し壁部４の下内面と口頸部５の下半内面とを面一に連続させて閉塞する、後端面閉塞の容器体１と、上記口頸部外面へ嵌合させた口蓋周壁１２の前面を閉塞する口蓋前板１３から軸１４を口頸部５内へ突出し、かつ軸後端面の下半外縁から、上面開口の樋状で後端面閉塞の受皿部１５を後方突出する取出し部材１１とからなり、
該取出し部材に対して、軸１４を中心として容器体１が回動可能であると共に、該取出し部材は容器体１に対して摺動自在に嵌合させた。
【０００６】
第２の手段として、上記第１の手段を有すると共に、上記取出し部材の口蓋前板１３を、上方へ延長して把手板１７となし、該把手板を上記胴部２前方に位置させた。
【０００７】
第３の手段として、上記第１又は第２の手段を有すると共に、上記受皿部１５の底部を後方へ延長して、該延長底板２１の後部下面へ、口頸部５後端面へ係合できる突部２２を付設し、取出し部材は容器体１に対して取外し不能に形成した。
【０００８】
第４の手段として、上記第３の手段を有すると共に、上記延長底板２１の後端部から、口頸部５内径とほぼ同外径の後端板２３を起立させた。
【０００９】
【発明の実施の形態】
以下図面について説明する。まず図１から図５が示す第１実施形態について説明すると、１は胴部を横向きとした容器体で、その胴部２の後部は円筒状とし、かつその後端面を、端板の外周部から周壁を前方突出する後蓋３で、上記周壁を胴部の後部内面へ緊密に嵌合させて閉塞している。該後蓋は胴部後端面へヒンジ連結させて形成してもよく、又容器体全体をブロー成形して胴部と一体に連結成形してもよい。
【００１０】
胴部２の前部および中間部は、その側壁下部を半円筒状に下方へ張出ししており、張出し壁部４とこれ等張出し壁部を有する胴部分の横断面形状は、倒立するダルマ形状とされている。該胴部の前端面は円筒状の口頸部５を有する前壁６で、その口頸部の下半外面と、上記張出し壁部４下外面とを面一に連続させて閉塞している。又口頸部５外面へは雄ねじ条７を付設している。胴部２と口頸部付き前壁６とは一体成形している。
【００１１】
１１は取出し部材で、上記口頸部５外面へ螺合させた口蓋周壁１２の前面を閉塞する口蓋前板１３後面から、口頸部５内へ軸１４を挿入させ、かつ該軸後端面の下半外縁から、上面開口の樋状をなす、後端面閉塞の細長の受皿部１５を後方へ受皿部の下面と上記張出し壁部内面とを接し、ないし近接させて突出する。軸１４は口蓋前板後面の中央部から後方突出させた小円筒１４ａ　と、該小円筒外面へ前部を嵌着させた後端面閉塞の基筒部１４ｂ　とで形成すればよく、これ等は回動不能に固着する。該基筒部１４ｂ　は口頸部５の内径とほぼ同外径で、口頸部内を摺動自在である。
【００１２】
軸１４の下面と受皿部１５の下面とは共に弯曲させて面一に連続させてあり、受皿部後端から起立する受皿端板１６外縁は、軸外面を後方へ延長した仮想円の線上に位置させており、図５が示すように、取出し部材１１を容器体内から抜出し出来るよう設けている。軸１４の下半外面および受皿１５の外面は、既述胴部の張出し壁部４の内面とほぼ同一曲率の弯曲面としている。
【００１３】
図示例では口蓋前板１３を上方へ延長させて把手板１７を設け、該把手板外周から、既述口蓋周壁１２の左右両側部と連続させて把手板周壁１８を後方へ突出させている。該把手板周壁１８は口蓋周壁１２と同一長さであり、これ等両周壁後端面は面一とする。口蓋前板１３と把手板１７、又口蓋周壁１２の下半と把手板周壁１８とは、図２が示すように、倒立するダルマ形状であり、張出し壁部４を有する胴部２部分の横断面とほぼ同一形状としている。
【００１４】
上記実施形態において、予め容器体内に多数の錠剤等３１を入れておき、取出し部材１１の受皿部１５を容器体内へ入れ、図示のように受皿部１５下面が張出し壁部４の内面へ接しないし近接するよう位置させると、図１のようにその受皿部１５内へ定められた数量の錠剤等２１が収納される。次に図３が示すように軸１４を中心として容器体１を口頸部螺脱方向へ回動させて張出し壁部４を上方へ位置させる。該状態で受皿部１５の開口面は張出し壁部４の内面によって閉塞される。よって該状態から図５のように容器体１に対して取出し部材１１を抜き出すことが出来、そのまま錠剤等を口内へ入れて服用することが出来る。
【００１５】
服用後は再び図５のように容器体の張出し壁部４が上方に位置する状態で受皿部１５を容器体内へ入れ、口蓋壁１２を口頸部外面へ螺合等すればよい。尚上記錠剤等とは顆粒、粉末を含むものである。
【００１６】
図６から図８は第２実施形態を示す。該実施形態は容器体１内からの取出し部材１１の抜出しが不能に形成したもので、第１実施形態の場合と同様に容器体１と取出し部材１１とを形成しておき、又容器体１の張出し壁部４を長く後方まで延長して形成すると共に受皿部１５の底部を後方へ延長して該延長底板２１の後部下面へ図８が示すように口頸部５後端面へ係合できる突部２２を付設し、又延長底板後端には後端板２３を付設したものである。上記受皿部の底部と延長底板２１とは同様に弯曲させればよく、後端板２３外縁は受皿端板１６と同様、軸１４外面を後方へ延長した仮想円線上に位置させて設けている。その他構造は第１実施形態の場合と同様であり、よって同一符号を付することで説明は省略する。
【００１７】
上記構成においては図６のように、受皿部１５内に錠剤等３１を収納させた状態から、図７が示すように取出し部材１１に対して、口頸部５から口蓋周壁１２が螺脱するまで軸１４を中心に容器体１を回動させ、張出し壁部４が上方に位置し、該張出し壁部４が受皿部１５の上面を閉塞する状態で図８のように取出し部材１１を外方へ抜き出す。受皿部１５を口頸部５外方へ抜出した位置で突部２２が口頸部５の後端面へ係合して取出し部材１１は停止するから、該図８の位置から取出し部材１１を把手板１７で傾け、受皿部１５内の錠剤等３１を取出し服用すればよい。服用後は再び図８のように受皿部の開口面を上向きとし、そのまま取出し部材１１を押込み、軸部１４が口頸部５内へ挿入された状態で、口蓋周壁１２を口頸部５外面へ螺合させ、図２のように容器体胴部２の前方へ口蓋前板１３および把手板１７を位置させておく。
【００１８】
尚上記各部材はそれぞれ合成樹脂材で一体成形している。
【００１９】
【発明の効果】
本発明は既述構成とするものであり、請求項１記載の構成とすることで、受皿部１５の長さを大として多くの錠剤等を入れることが出来、又取出し部材１１に対して容器体１を回し、受皿部１５の開口面を容器体胴部の張出し壁部４内面が閉塞する状態にすることで錠剤等は受皿部１５内へ入って計量を完了することが出来、そのまま取出し部材を抜き出せば定量の錠剤等を取出しできる便利がある。
【００２０】
請求項２のようにすることで、口蓋前板１３に対する把手板１７の突出方向と、受皿部１５の開口方向とを一致させることが出来、よって把手板１７が起立する状態で胴部２の張出し壁部４を胴部下方に位置させれば受皿部１５内へ錠剤等が収納され、又その状態から張出し壁部４を図３のように胴部２上方へ位置させることで、受皿部１５の上方開口面は張出し壁部４の内面で閉塞されることとなって、受皿部１５内への錠剤等の収納、又その取出しを確実かつ容易に行うことが出来る。
【００２１】
請求項３のようにすることで、容器体１内から取出し部材１１を完全には抜出し出来ないこととなり、容器体１と取出し部材１１との分離を防止できる。
【００２２】
請求項４のようにすることで、受皿部１５が口頸部５外方まで引出しされ、延長底板２１だけが口頸部内面に接する位置であっても、後端板２３の上部外面は張出し壁部４の内面へ接し、ないし近接することとなるから、口頸部５の中心軸線と取出し部材軸１４の中心軸線とを、常にほぼ同一直線上に位置させることが可能となり、よって容器体からの受皿部１５の抜出しおよび再挿入をスムーズに行うことが出来る。
【図面の簡単な説明】
【図１】本発明容器の縦断面図である。
【図２】図１容器の前面図である。
【図３】図１容器の受皿部内へ錠剤等を収納させ、かつその受皿部の抜出しが可能とした状態での縦断面図である。
【図４】図３状態での容器前面図である。
【図５】上記受皿部を容器体外方へ抜出した状態で示す縦断面図である。
【図６】第２実施形態で示す容器の縦断面図である。
【図７】図６容器の受皿部内へ錠剤等を収納させ、かつその受皿部の抜出しが可能とした状態での縦断面図である。
【図８】図７状態から延長底板を口頸部内へ残し、受皿部を容器体前方へ抜出した状態で示す、縦断面図である。
【符号の説明】
１…容器体　　　　　　　４…張出し壁部
５…口頸部　　　　　　　６…前壁
１１…取出し部材　　　　　　　　　　１２…口蓋周壁
１３…口蓋前板　　　　　　　　　　　　１４…軸
１５…受皿部　　　　　　　　　　　　　　１６…受皿端板
１７…把手板　　　　　　　　　　　　　　１８…把手板周壁
２１…延長底板　　　　　　　　　　　　２２…突部
２３…後端板　　　　　　　　　　　　　　３１…錠剤等
【図１】
2004059115.tif 000003
【図２】
2004059115.tif 000004
【図３】
2004059115.tif 000005
【図４】
2004059115.tif 000006
【図５】
2004059115.tif 000007
【図６】
2004059115.tif 000008
【図７】
2004059115.tif 000009
【図８】
2004059115.tif 000010